(57)【要約】      （修正有）【課題】平板状から複数折り、丸めた円形状、三角形状に折り畳みあらゆる形状の枕にすることができ、容易に折り畳め、枕内部で軟性を確保することができ、平板状に高さを薄くしても柔軟な厚みを確保することができる形状・高さ調整自在に折り畳み可能な枕を提供する。【解決手段】枕の内部に低密度ポリエチレンからなる軟質パイプ状充填材２を充填する。最低高さの平板状にしたときの長さが３０〜８０ｃｍ、高さが３〜１５ｃｍであって、枕内部の体積に対し中空部分を除いたパイプ状充填材自体の体積を３〜１０％とし、形状・高さ調整自在に折り畳み可能な枕とした。【選択図】図１
0003205948.tif 000002
【実用新案登録請求の範囲】
【請求項１】
枕内部に軟質パイプ状充填材を充填していて、最低高さの平板状にしたときの長さが３０〜８０ｃｍ、高さが３〜１５ｃｍであって、枕内部の体積に対し中空部分を除いたパイプ状充填材自体の体積が３〜８％であり、パイプ状充填材の比重が約０．９０〜０．９５ｇ／立方ｃｍ、長さ３〜８ｍｍ、直径が３〜６ｍｍ、厚みが０．０１〜１．０ｍｍの低密度ポリエチレンである形状・高さ調整自在に折り畳み可能な枕。
【考案の詳細な説明】
【考案の詳細な説明】
【技術分野】
【０００１】  本発明は、平板状から複数折り、丸めた円形状、三角形状に折り畳みあらゆる形状の枕にすることができる高さ・形状・用途の枕に関するものである。
【従来技術】
【０００２】  例えば、特許文献１（実用新案登録第３０９１３４９号公報）には、「枕は、可撓性の袋１内に粒状の充填材２を充填して開口部を口封している。袋１は、細長い形状であって、一端部と中央部とに、互いに脱着自在な面ファスナー３を備える。この面ファスナー３は、袋１の一端部に固定されてなる第１ファスナー３Ａと、袋１の中央部に固定されてなる第２ファスナー３Ｂとからなる。第２ファスナー３Ｂは、袋１の縦方向に延長して設けている。この枕は、第１ファスナー３Ａを設けた端部を折り畳んで、第１ファスナー３Ａを第２ファスナー３Ｂに連結する連結位置を変更して高さを調整するように構成しており、極めて簡単な構造で、安価に多量生産して、しかも容易に高さを調整する。どの高さに調整しても、いびつな形状とすることなく外観を良くする」旨が記載されている。
【０００３】そして、段落［００１５］には「袋１に充填される充填材２は、そば殻、もみ殻、木材チップ、木炭粒、合成樹脂チップ等で、これらを単独で、あるいは混合して使用することができる。これらの充填材２は、目的や好みに応じて最適なものが使用され・・・合成樹脂チップには、ポリエチレンをパイプ状、ビーズ状に成形したものが使用できる。・・・」旨詳述され、さらに、該公報段落［００１６］には、「充填材２は、たとえば、袋１の内容積全体の３０〜８０％、好ましくは４０〜７０％の量が充填される。充填材２の充填量は、枕の平均的な高さを決定する。たとえば、充填材２の充填量が少ない枕は、平均的な高さが低くなる。逆に、充填材２の充填量が多い枕は、平均的な高さが高くなる。したがって、充填材２の充填量は、これらを考慮して最適な量になるように決定する。袋１に充填材２を１００％充填しないのは、袋１内の充填材２を一方の端部に移動させた状態で、袋１を中間で折り畳みできるようにするためである」旨詳述されている。
【０００４】  しかしながら、特許文献１においては、「パイプ状のポリエチレンが使用される」旨及び「充填材２が袋１の内容積全体の３０〜８０％、好ましくは４０〜７０％の量が充填される」旨の記載はあっても、本考案の如く「枕内部の体積に対し中空部分を除いたパイプ状充填材自体の体積が３〜１０％であり、パイプ状充填材の比重が約０．９１〜０．９２ｇ／立方ｃｍ、長さ３〜８ｍｍ、直径が３〜８ｍｍ、厚みが０．０１〜１．０ｍｍの低密度ポリエチレンである」旨が示唆されておらず、板状から複数折り、丸めた円形状、三角形状に折り畳みあらゆる形状の枕にすることができ、容易に折り畳め、枕内部でパイプ状充填材が縦になり難く軟性を確保することができ、平板状に高さを薄くしても柔軟な厚みを確保することができる形状・高さ調整自在に折り畳み可能な枕を得ることができない。
【０００５】  また、特許文献２（実用新案登録第３０２４５０１号公報）には、「網地１により複数列の筒状袋体３ａ〜３ｉを長手方向と平行状態で並設する。筒状袋体３ａ〜３ｉの端面にスライドファスナ４により開閉される開閉口５を形成し、開閉口５から合成樹脂製の中空パイプ状チップ６を充填する。筒状袋体３ａ〜３ｉに合成樹脂製の中空パイプ状チップ６を充填しているので、良好な通気性を得ることができ、洗濯も可能となる。複数列の筒状袋体３ａ〜３ｉを長手方向と平行状態で並設しているので、利用者が筒状筒体３ａ〜３ｉの連設部を利用して任意箇所で折り畳んで大きさ、高さ等を自由に変更し、自身に適するように自由に選択することができ」、「衛生的に保持することができ、利用者が頭部を載せる位置、高さ等を自身に適するように自由に選択できるようにし、購入し直す必要をなくして経済性を向上させることができる」旨記載されている。
【０００６】  しかしながら、特許文献２は、本考案の如く「枕内部の体積に対し中空部分を除いたパイプ状充填材自体の体積が３〜１０％であり、パイプ状充填材の比重が約０．９１〜０．９２ｇ／立方ｃｍ、長さ３〜８ｍｍ、直径が３〜８ｍｍ、厚みが０．０１〜１．０ｍｍの低密度ポリエチレンである」旨が示唆されておらず、板状から複数折り、丸めた円形状、三角形状に折り畳みあらゆる形状の枕にすることができ、容易に折り畳め、枕内部でパイプ状充填材が縦になり難く軟性を確保することができ、平板状に高さを薄くしても柔軟な厚みを確保することができる形状・高さ調整自在に折り畳み可能な枕を得ることができない。
【０００７】  また、特許文献３（実用新案登録第３１３９１６４号公報）には、「展開状態で帯板状となっており、内部にクッション材６を充填した袋状体をその長手方向に適当間隔にキルティング状３に縫着することによって帯板状袋状体２を長手方向に凹凸状ないし連珠状に連設して形成し、この帯板状袋状体２…を円筒状に丸めてその両端部４を留め具５で止着することによって内外周面が凹凸状を呈し、内部にクッション材６を充填した円筒状袋状体からなる枕本体１Ｂを形成し、この円筒状枕本体１Ｂの円筒状空間部７にタオルなどの枕厚み調整部材Ｔを挿入可能としてなるものとしている」旨記載され、「枕として、主に宿泊宿において、就寝時の枕の厚みを好みの厚みに容易に調整でき、もって快適な睡眠を提供すると共に、旅先に携帯する場合にも容易にかつ嵩張らずに携帯することができるものを提供する」旨説明されている。
【０００８】  しかしながら、特許文献３も本考案の如く「枕内部の体積に対し中空部分を除いたパイプ状充填材自体の体積が３〜１０％であり、パイプ状充填材の比重が約０．９１〜０．９２ｇ／立方ｃｍ、長さ３〜８ｍｍ、直径が３〜８ｍｍ、厚みが０．０１〜１．０ｍｍの低密度ポリエチレンである」旨が示唆されておらず、板状から複数折り、丸めた円形状、三角形状に折り畳みあらゆる形状の枕にすることができ、容易に折り畳め、枕内部でパイプ状充填材が縦になり難く軟性を確保することができ、平板状に高さを薄くしても柔軟な厚みを確保することができる形状・高さ調整自在に折り畳み可能な枕を得ることができない。
【０００９】  また、特許文献４（特開２０００−０６０７０４号公報）には、「この枕１は、例えば綿製の枕ケース２と、枕ケース２内に互いに重ねた状態で収納された複数（本例では３つ）のクッション体３ａ，３ｂ，３ｃと、を備えており、１つのクッション体３ａ内には変形率の低い充填材（例えばパイプ小片）４ａが充填されており、残る２つのクッション体３ｂ，３ｂ内には変形率の高い充填材（例えばフェザー）６，９がそれぞれ充填されている。３つのクッション体３ａ，３ｂ，３ｃの重ね合せ形態によって、使用者が体感する枕１全体の高さや硬さを調節する。例えば、比較的硬い第１のクッション体３ａを上層にした場合に（図２（ａ）参照）、枕１に頭部を載せると、第１のクッション体３ａからの重みが、比較的柔らかい第２および第３のクッション体３ｂ，３ｃに略平均してかかるため、頭部の沈み量を小さく抑えられる」旨記載され、「使用者の好みに応じて硬さや厚さを容易に調節できる枕を提供する」旨説明されている。
【００１０】  しかしながら、特許文献４も本考案の如く「枕内部の体積に対し中空部分を除いたパイプ状充填材自体の体積が３〜１０％であり、パイプ状充填材の比重が約０．９１〜０．９２ｇ／立方ｃｍ、長さ３〜８ｍｍ、直径が３〜８ｍｍ、厚みが０．０１〜１．０ｍｍの低密度ポリエチレンである」旨が示唆されておらず、板状から複数折り、丸めた円形状、三角形状に折り畳みあらゆる形状の枕にすることができ、容易に折り畳め、枕内部でパイプ状充填材が縦になり難く軟性を確保することができ、平板状に高さを薄くしても柔軟な厚みを確保することができる形状・高さ調整自在に折り畳み可能な枕を得ることができない。
【００１１】  また、特許文献５（特開平０８−０００４２２号公報）には、「寝たときに首近傍に当接する枕の首側部１２が後頭部に当接して頭を支える支え部１４よりも高い枕１０において、該枕１０の首側部１２と支え部１４とが分割されて形成されていると共に、首側部１２と支え部１４とがピロケース１６に収納され、且つ支え部１４の袋１５に充填されたそば殻の充填高さを調整すべく、そば殻が充填された状態で袋１５の一部が折り畳み可能であることを特徴とする」旨記載され、「寝た人の頸椎近傍の形状に適合し易いように、所定箇所の高さ等を容易に調整できる枕を提供する」旨説明されている。
【００１２】  しかしながら、特許文献５も本考案の如く「枕内部の体積に対し中空部分を除いたパイプ状充填材自体の体積が３〜１０％であり、パイプ状充填材の比重が約０．９１〜０．９２ｇ／立方ｃｍ、長さ３〜８ｍｍ、直径が３〜８ｍｍ、厚みが０．０１〜１．０ｍｍの低密度ポリエチレンである」旨が示唆されておらず、板状から複数折り、丸めた円形状、三角形状に折り畳みあらゆる形状の枕にすることができ、容易に折り畳め、枕内部でパイプ状充填材が縦になり難く軟性を確保することができ、平板状に高さを薄くしても柔軟な厚みを確保することができる形状・高さ調整自在に折り畳み可能な枕を得ることができない。
【先行技術文献】
【００１３】
【特許文献１】  実用新案登録第３０９１３４９号公報
【特許文献２】  実用新案登録第３０２４５０１号公報
【特許文献３】  実用新案登録第３１３９１６４号公報
【特許文献４】  特開２０００−０６０７０４号公報
【特許文献５】  特開平０８−０００４２２号公報
【考案が解決しようとする課題】
【００１４】  この考案においては、板状から複数折り、丸めた円形状、三角形状に折り畳みあらゆる形状の枕にすることができ、容易に折り畳め、枕内部でパイプ状充填材が枕を薄く使用しても柔軟な高さを保持でき、パイプ状充填材が有る程度の長さを有するので使用時パイプ状充填材が縦になり難く軟性を確保することができる形状・高さ調整自在に折り畳み可能な枕を得ることを課題とする。
【課題を解決する手段】
【００１５】  請求項１の考案は、枕内部に軟質パイプ状充填材を充填していて、最低高さの平板状にしたときの長さが３０〜８０ｃｍ、高さが３〜１５ｃｍであって、枕内部の体積に対し中空部分を除いたパイプ状充填材自体の体積が３〜８％であり、パイプ状充填材の比重が約０．９０〜０．９５ｇ／立方ｃｍ、長さ３〜８ｍｍ、直径が３〜６ｍｍ、厚みが０．０１〜１．０ｍｍの低密度ポリエチレンである形状・高さ調整自在に折り畳み可能な枕を提供するものである。
【００１６】  この考案においては、板状から複数折り、丸めた円形状、三角形状に折り畳みあらゆる形状の枕にすることができ、容易に折り畳め、枕内部でパイプ状充填材が枕を薄く使用しても柔軟な高さを保持でき、パイプ状充填材が有る程度の長さを有するので使用時パイプ状充填材が縦になり難く軟性を確保することができる形状・高さ調整自在に折り畳み可能な枕を得ることができる。
【００１７】  最低高さの平板状にしたときの枕の長さが３０未満では丸められなくなり、８０ｃｍを超えると長さが余りすぎ扱いにくい大きさとなる。  また、枕の高さが３未満であると頭が底付きする高さとなり、１５ｃｍを超えると丸められない高さとなる。  また、枕内部の体積に対し中空部分を除いたパイプ状充填材自体の体積が３％未満であると頭が底付きする体積となり、８％を超えると丸められない体積となる。  パイプ状充填材の比重が約０．９０ｇ／立方ｃｍ未満であるとへたりやすい比重となり、０．９５ｇ／立方ｃｍを超えると硬い感触となる。パイプ状充填材の長さが３ｍｍ未満であると硬い感触となり、８ｍｍを超えると流動性が無い状態となる。  パイプ状充填材の直径が３ｍｍ未満であると硬い感触となり、６ｍｍを超えるとへたりやすくなる。  パイプ状充填材の厚みが０．０１未満であるとへたりやすくなり、１．０ｍｍを超えると硬い感触となる。
【００１８】好ましくは、低高さの平板状にしたときの長さが３０〜８０ｃｍ、高さは３〜１５ｃｍであって、枕内部の体積に対し中空部分を除いたパイプ状充填材自体の体積は３〜８％であり、パイプ状充填材の比重が０．０９〜０．９５ｇ／立方ｃｍ、長さは３〜８ｍｍ、直径は３〜６ｍｍ、厚みは０．０１〜１．０ｍｍの低密度ポリエチレンである。
【考案を実施するための形態】
【００１９】  以下に本考案の一実施形態を図面に基づき説明する。図１は枕の外袋と内部の空洞とパイプ状充填材との体積関係を示す説明図、図２はパイプ状充填材の斜視図、図３はパイプ状充填材の拡大斜視図、図４は枕を最低高さの平板状にしたとき平面斜視図、図５は図４の正面図、図６は枕の上部に充填材を底部は充填材のない状態に折り畳んだ平面斜視図、図７は図６の正面図、図８は枕の上下部に充填材を有する正面斜視図、図９は枕を三角形に折り畳んだ状態の上面斜視図、図１０は枕を丸く折畳んだ状態の正面斜視図である。
【００２０】  図１に示す如く、枕Ｍの外袋１内部に軟質パイプ状充填材２を充填している。図４の枕１を最低高さの平板状にしたときの長さＬＬが４８ｃｍ、高さＴＴが３ｃｍ、となるように、外袋１内部Ａの体積に対し中空部分２ａを除いたパイプ状充填材２自体の体積が５％であり、パイプ状充填材２の比重が約０．９１ｇ／立方ｃｍであって、図３に示すように、パイプ状充填材２の長さＬが６ｍｍ、直径Ｄが５ｍｍ、厚みＴが０．５ｍｍの低密度ポリエチレンである。
【００２１】  この実施例においては、外袋１のおおよその容積約１８Ｌに対し、パイプ充填材は約８Ｌであり、この約８Ｌはパイプの中空部分２ａを含んだ容積である。そこで、パイプ約８Ｌの重量は約７７０ｇであって１Ｌ＝１０００立方ｃｍであるので、低密度ポリエチレンの比重０．９１ｇ／立方ｃｍのとき、ポリエチレン自体の容積１Ｌでの重量は、約９１０ｇとなる。そのため、パイプ約７７０ｇの中空部分２ａを除いた容積は、７７０／９１０で約０．８４６Ｌとなる。外袋１全体の容積：パイプの中空部分２ａを除いた容積＝１８Ｌ：０．８４６Ｌ＝２１：１となり、１／２１＝０・０４７６（約５％）となる。
【００２２】  尚、図４は枕を最低高さの平板状にしたとき平面斜視図、図５は図４の正面図であり、枕高さが一番低い状態で使用することができる。  この時、枕Ｍ内部の上記パイプ状充填材２が厚さ方向において一番薄い状態であり、もしパイプ状充填材２以外の球状や籾殻等ではしっかりした柔軟性が確保されないために、硬い床に敷いて使用した場合に頭が枕下の床に略直接当たる状態となるが、本考案のパイプ状充填材２の直径Ｄ及び厚みＴであれば十分柔軟性を確保することができる。また、上記パイプ状充填材２の長さが３ｍｍ未満の場合は枕Ｍ内部で硬い縦向きになりやすいために柔軟性部分が均一に得られない。
【００２３】  図６はこの実施例の枕上部に充填材を底部には充填材のない状態にして折り畳んだ平面斜視図、図７は図６の正面図であり、図８よりも枕の長さを長く使用して折畳む位置によって枕高さを変化させることができる。図８は枕の上下部に充填材を有する正面斜視図であり、枕の長さを短く使用して枕の高さを高く使用することができる。  図９は枕を三角形に折り畳んだ状態の上面斜視図、図１０は枕を丸く折畳んだ状態の正面斜視図であり頸椎を高い位置に使用できる一方、寝た状態または椅子に座った状態で腰枕として使用したり、足枕として使用すすこともできる。  尚、上記折畳み面を互いにマジックテープで接着して使用状態の形状を確保するようにしても良い。
【発明の効果】
【００２４】    この考案においては、板状から複数折り、丸めた円形状、三角形状に折り畳みあらゆる形状の枕にすることができ、容易に折り畳め、枕内部でパイプ状充填材が枕を薄く使用しても柔軟な高さを保持でき、パイプ状充填材が有る程度の長さを有するので使用時パイプ状充填材が縦になり難く軟性を確保することができる形状・高さ調整自在に折り畳み可能な枕を得ることができる。
【図面の簡単な説明】
【００２５】
【図１】  枕の外袋と内部の空洞とパイプ状充填材との体積関係を示す説明図
【図２】  パイプ状充填材の斜視図
【図３】  パイプ状充填材の拡大斜視図
【図４】  枕を最低高さの平板状にしたとき平面斜視図
【図５】  図４の正面図
【図６】  枕の上部に充填材を底部は充填材のない状態に折り畳んだ平面斜視図
【図７】  図６の正面図
【図８】  枕の上下部に充填材を有する正面斜視図
【図９】  枕を三角形に折り畳んだ状態の上面斜視図
【図１０】  枕を丸く折畳んだ状態の正面斜視図
【符号の説明】Ｍ          枕
１          枕の外袋
２          パイプ状充填材
ＬＬ        枕の長さ
ＴＴ        枕の高さ
Ａ          枕の外袋内部
２ａ        パイプ状充填材の中空部分
Ｌ          パイプ状充填材の長さ
Ｄ          パイプ状充填材の直径
Ｔ          パイプ状充填材の厚み
【図１】
0003205948.tif 000003
【図２】
0003205948.tif 000004
【図３】
0003205948.tif 000005
【図４】
0003205948.tif 000006
【図５】
0003205948.tif 000007
【図６】
0003205948.tif 000008
【図７】
0003205948.tif 000009
【図８】
0003205948.tif 000010
【図９】
0003205948.tif 000011
【図１０】
0003205948.tif 000012